(57)【要約】【課題】本発明は汚れ防止筆袋を開示した。【解決手段】筆袋を含み、前記筆袋の中には筆チャンバが設けられ、筆を筆溝と引掛りブロックの間に置き、押し引きブロックを引き、押し引きロッドを移動連動させ、引きブロックによって固定板を移動連動させ、安定ブロックが垂直チャンバの中に入り、押し引きブロックを放し、位置制限ブロックが安定溝の中に引掛られ、筆を固定し、固定板によって引掛りブロックに保存された筆を固定し、筆を携帯する時の散ることや面倒な整理を防ぎ、汚れ防止機構の中の綿は筆から垂らした染料を吸収することができ、筆袋に汚れが付くことを防ぐ、更に綿も塗板も取り出すことができる。【選択図】図１
2020157748.tif 000002
【特許請求の範囲】
【請求項１】
筆袋を含み、前記筆袋の中には筆チャンバが設けられ、前記筆チャンバの中には筆を携帯する時に散ることを防ぐ固定機構が設けられ、前記固定機構は前記筆チャンバの左側に連通し設けられた回転チャンバを含み、前記回転チャンバにはスライド溝が上下に対称的に連通し設けられ、前記スライド溝の中にはスライドブロックがスライドできるように係合し取り付けられ、上下の前記スライドブロックの間には回転ロッドが回転できるように係合し取り付けられ、前記回転ロッドには固定板が固定的に取り付けられ、前記固定機構の下方には筆袋に汚れが付くことを防ぐ汚れ防止機構が設けられ、前記汚れ防止機構は前記筆チャンバの内壁に左右に対称的に固定的に取り付けられた支えブロックを含み、前記支えブロックの中には下方に開口した支え溝が設けられ、前記支え溝の中には挿しブロックがスライドできるように係合し取り付けられ、左右の前記挿しブロックの底部端面には綿ケースが固定的に連結され、前記綿ケースの中には上方に開口した綿チャンバが設けられ、前記綿チャンバの中には染料を吸収できる綿が設けられ、前記固定機構の上方には筆袋全体をかぶせられる補助機構が設けられ、前記補助機構は前記筆袋の頂部端面と固定的に連結された上蓋を含み、前記上蓋の中には下方に開口した上蓋チャンバが設けられることを特徴とする汚れ防止筆袋。
【請求項２】
前記固定機構は前記固定板の前側端面に固定的に取り付けられた引きブロックを含み、前記固定板には六つの筆溝が上下に対称的に設けられ、前記固定板の後側端面には安定ブロックが固定的に取り付けられ、前記筆チャンバの右側内壁には固定ブロックが固定的に取り付けられ、前記固定ブロックの中には前方に開口した垂直チャンバが設けられ、前記垂直チャンバと前記安定ブロックとがスライドできるように係合し取り付けられ、前記安定ブロックの中には右方に開口した安定溝が設けられ、前記垂直チャンバの右側には水平チャンバが連通し設置され、前記水平チャンバの中には位置制限ブロックがスライドできるように係合し取り付けられ、前記位置制限ブロックの右側端面には前記筆袋の右側端面を貫通する押し引きロッドが固定的に取り付けられ、前記押し引きロッドの右側端面には押し引きブロックが固定的に取り付けられ、前記位置制限ブロックの右側端面と前記水平チャンバの右側内壁との間には第二バネが固定的に取り付けられ、前記筆チャンバの内壁には引掛りブロックが上下に対称的に固定的に取り付けられ、筆を筆溝と引掛りブロックの間に置き、押し引きブロックを引き、押し引きロッドを移動連動させ、引きブロックによって固定板を移動連動させ、安定ブロックが垂直チャンバの中に入り、押し引きブロックを放し、位置制限ブロックが安定溝の中に引掛られ、筆を固定することを特徴とする請求項１に記載の汚れ防止筆袋。
【請求項３】
前記汚れ防止機構は左右の前記支えブロックの頂部端面に設けられた塗板を含み、前記塗板の中には抜き穴が設けられ、前記塗板の中には移動チャンバが左右に対称的に設けられ、前記移動チャンバの中には移動ブロックがスライドできるように係合し取り付けられ、前記移動ブロックと前記移動チャンバとの間には第一バネが固定的に取り付けられ、前記移動ブロックの底部端面にはプッシュブロックが設けられ、前記移動チャンバの下方にはプッシュチャンバが連通し設けられ、前記プッシュブロックと前記プッシュチャンバとがスライドできるように係合し取り付けられ、前記筆チャンバの左右内壁の中には補助穴が設けられ、前記移動ブロックと前記補助穴とがスライドできるように係合し取り付けられ、前記筆袋の底部端面には回転板が上下に対称的に固定的に取り付けられ、上下の前記回転板の間には補助ロッドが回転できるように係合し取り付けられ、前記補助ロッドには連結ブロックが固定的に取り付けられ、前記連結ブロックの後側端面には底蓋が固定的に取り付けられ、前記綿ケースが前記底蓋の中に設けられ、前記底蓋の頂部端面と前記筆袋の底部端面には磁石が固定的に取り付けられ、垂らした染料が抜き穴を通し、綿により吸収され、磁石により底蓋を開け、綿ケースを取り出すことができ、綿を循環的に利用し、プッシュブロックを動かし、移動ブロックを補助穴の中から滑り出させ、塗板を取り出して洗浄することができることを特徴とする請求項１に記載の汚れ防止筆袋。
【請求項４】
前記補助機構は前記上蓋と前記筆袋の外周に取り付けられたファスナーを含み、ファスナーによって上蓋を開けるあるいは閉めることを特徴とする請求項１に記載の汚れ防止筆袋。
【発明の詳細な説明】
【技術分野】
【０００１】
本発明は筆袋分野を取り上げて、具体的には汚れ防止筆袋である。
【背景技術】
【０００２】
筆袋には各種類の筆が保存され、美術生徒たちが絵筆を筆袋に入れる時、絵筆がまだ乾いていない場合は多く、絵筆の染料が筆袋に付き、時間が経つと、筆袋を滲み出て他の容器に付くこともあり、筆袋などを汚し、洗浄できないだけではなく使用もできない、一般的な筆袋を携帯する時に、筆袋の中の筆が散りやすい。
【先行技術文献】
【特許文献】
【０００３】
【特許文献１】中国特許出願公開第１０２４８５０９７号明細書
【発明の概要】
【発明が解決しようとする課題】
【０００４】
本発明の目的は汚れ防止筆袋を提供し、それは上記の現在の技術中の問題を解決できる。
【課題を解決するための手段】
【０００５】
本発明の汚れ防止筆袋は、筆袋を含み、前記筆袋の中には筆チャンバが設けられ、前記筆チャンバの中には筆を携帯する時に散ることを防ぐ固定機構が設けられ、前記固定機構は前記筆チャンバの左側に連通し設けられた回転チャンバを含み、前記回転チャンバにはスライド溝が上下に対称的に連通し設けられ、前記スライド溝の中にはスライドブロックがスライドできるように係合し取り付けられ、上下の前記スライドブロックの間には回転ロッドが回転できるように係合し取り付けられ、前記回転ロッドには固定板が固定的に取り付けられ、前記固定機構の下方には筆袋に汚れが付くことを防ぐ汚れ防止機構が設けられ、前記汚れ防止機構は前記筆チャンバの内壁に左右に対称的に固定的に取り付けられた支えブロックを含み、前記支えブロックの中には下方に開口した支え溝が設けられ、前記支え溝の中には挿しブロックがスライドできるように係合し取り付けられ、左右の前記挿しブロックの底部端面には綿ケースが固定的に連結され、前記綿ケースの中には上方に開口した綿チャンバが設けられ、前記綿チャンバの中には染料を吸収できる綿が設けられ、前記固定機構の上方には筆袋全体をかぶせられる補助機構が設けられ、前記補助機構は前記筆袋の頂部端面と固定的に連結された上蓋を含み、前記上蓋の中には下方に開口した上蓋チャンバが設けられる。
【０００６】
更の技術プラン、前記固定機構は前記固定板の前側端面に固定的に取り付けられた引きブロックを含み、前記固定板には六つの筆溝が上下に対称的に設けられ、前記固定板の後側端面には安定ブロックが固定的に取り付けられ、前記筆チャンバの右側内壁には固定ブロックが固定的に取り付けられ、前記固定ブロックの中には前方に開口した垂直チャンバが設けられ、前記垂直チャンバと前記安定ブロックとがスライドできるように係合し取り付けられ、前記安定ブロックの中には右方に開口した安定溝が設けられ、前記垂直チャンバの右側には水平チャンバが連通し設置され、前記水平チャンバの中には位置制限ブロックがスライドできるように係合し取り付けられ、前記位置制限ブロックの右側端面には前記筆袋の右側端面を貫通する押し引きロッドが固定的に取り付けられ、前記押し引きロッドの右側端面には押し引きブロックが固定的に取り付けられ、前記位置制限ブロックの右側端面と前記水平チャンバの右側内壁との間には第二バネが固定的に取り付けられ、前記筆チャンバの内壁には引掛りブロックが上下に対称的に固定的に取り付けられる。
【０００７】
更の技術プラン、前記汚れ防止機構は左右の前記支えブロックの頂部端面に設けられた塗板を含み、前記塗板の中には抜き穴が設けられ、前記塗板の中には移動チャンバが左右に対称的に設けられ、前記移動チャンバの中には移動ブロックがスライドできるように係合し取り付けられ、前記移動ブロックと前記移動チャンバとの間には第一バネが固定的に取り付けられ、前記移動ブロックの底部端面にはプッシュブロックが設けられ、前記移動チャンバの下方にはプッシュチャンバが連通し設けられ、前記プッシュブロックと前記プッシュチャンバとがスライドできるように係合し取り付けられ、前記筆チャンバの左右内壁の中には補助穴が設けられ、前記移動ブロックと前記補助穴とがスライドできるように係合し取り付けられ、前記筆袋の底部端面には回転板が上下に対称的に固定的に取り付けられ、上下の前記回転板の間には補助ロッドが回転できるように係合し取り付けられ、前記補助ロッドには連結ブロックが固定的に取り付けられ、前記連結ブロックの後側端面には底蓋が固定的に取り付けられ、前記綿ケースが前記底蓋の中に設けられ、前記底蓋の頂部端面と前記筆袋の底部端面には磁石が固定的に取り付けられる。
【０００８】
更の技術プラン、前記補助機構は前記上蓋と前記筆袋の外周に取り付けられたファスナーを含む。
【発明の効果】
【０００９】
本発明は固定板によって引掛りブロックに保存された筆を固定し、筆を携帯する時の散ることや面倒な整理を防ぎ、汚れ防止機構の中の綿は筆から垂らした染料を吸収することができ、筆袋に汚れが付くことを防ぐ、更に綿も塗板も取り出すことができ、洗浄し循環的に利用することができ、普及価値がある。
【図面の簡単な説明】
【００１０】
【図１】図１は本発明の構成略図である；
【図２】図２は図１のＡ−Ａの断面構成略図である；
【図３】図３は図２のＢの拡大構成略図である；
【図４】図４は図２のＣの拡大構成略図である・
【発明を実施するための形態】
【００１１】
下記に図１−４を合わせて本発明について詳しく説明し、また、説明の便利を図るため、下記に記載の上下左右前後方向が図１自身の投影関係の上下左右前後方向と一致することにする。
【００１２】
図１−４を参照し、本発明の汚れ防止筆袋は、筆袋１４を含み、前記筆袋１４の中には筆チャンバ２０が設けられ、前記筆チャンバ２０の中には筆を携帯する時に散ることを防ぐ固定機構７０が設けられ、前記固定機構７０は前記筆チャンバ２０の左側に連通し設けられた回転チャンバ１８を含み、前記回転チャンバ１８にはスライド溝１５が上下に対称的に連通し設けられ、前記スライド溝１５の中にはスライドブロック１６がスライドできるように係合し取り付けられ、上下の前記スライドブロック１６の間には回転ロッド１７が回転できるように係合し取り付けられ、前記回転ロッド１７には固定板１２が固定的に取り付けられ、前記固定機構７０の下方には筆袋に汚れが付くことを防ぐ汚れ防止機構８０が設けられ、前記汚れ防止機構８０は前記筆チャンバ２０の内壁に左右に対称的に固定的に取り付けられた支えブロック３７を含み、前記支えブロック３７の中には下方に開口した支え溝４２が設けられ、前記支え溝４２の中には挿しブロック４１がスライドできるように係合し取り付けられ、左右の前記挿しブロック４１の底部端面には綿ケース３３が固定的に連結され、前記綿ケース３３の中には上方に開口した綿チャンバ３２が設けられ、前記綿チャンバ３２の中には染料を吸収できる綿３１が設けられ、前記固定機構７０の上方には筆袋全体をかぶせられる補助機構９０が設けられ、前記補助機構９０は前記筆袋１４の頂部端面と固定的に連結された上蓋２４を含み、前記上蓋２４の中には下方に開口した上蓋チャンバ２５が設けられる。
【００１３】
前記固定機構７０は前記固定板１２の前側端面に固定的に取り付けられた引きブロック２１を含み、前記固定板１２には六つの筆溝１３が上下に対称的に設けられ、前記固定板１２の後側端面には安定ブロック４７が固定的に取り付けられ、前記筆チャンバ２０の右側内壁には固定ブロック２３が固定的に取り付けられ、前記固定ブロック２３の中には前方に開口した垂直チャンバ５１が設けられ、前記垂直チャンバ５１と前記安定ブロック４７とがスライドできるように係合し取り付けられ、前記安定ブロック４７の中には右方に開口した安定溝４９が設けられ、前記垂直チャンバ５１の右側には水平チャンバ５３が連通し設置され、前記水平チャンバ５３の中には位置制限ブロック５２がスライドできるように係合し取り付けられ、前記位置制限ブロック５２の右側端面には前記筆袋１４の右側端面を貫通する押し引きロッド５５が固定的に取り付けられ、前記押し引きロッド５５の右側端面には押し引きブロック２２が固定的に取り付けられ、前記位置制限ブロック５２の右側端面と前記水平チャンバ５３の右側内壁との間には第二バネ５４が固定的に取り付けられ、前記筆チャンバ２０の内壁には引掛りブロック１１が上下に対称的に固定的に取り付けられ、筆を筆溝１３と引掛りブロック１１の間に置き、押し引きブロック２２を引き、押し引きロッド５５を移動連動させ、引きブロック２１によって固定板１２を移動連動させ、安定ブロック４７が垂直チャンバ５１の中に入り、押し引きブロック２２を放し、位置制限ブロック５２が安定溝４９の中に引掛られ、筆を固定する。
【００１４】
前記汚れ防止機構８０は左右の前記支えブロック３７の頂部端面に設けられた塗板２９を含み、前記塗板２９の中には抜き穴３０が設けられ、前記塗板２９の中には移動チャンバ４５が左右に対称的に設けられ、前記移動チャンバ４５の中には移動ブロック３５がスライドできるように係合し取り付けられ、前記移動ブロック３５と前記移動チャンバ４５との間には第一バネ４６が固定的に取り付けられ、前記移動ブロック３５の底部端面にはプッシュブロック４３が設けられ、前記移動チャンバ４５の下方にはプッシュチャンバ４４が連通し設けられ、前記プッシュブロック４３と前記プッシュチャンバ４４とがスライドできるように係合し取り付けられ、前記筆チャンバ２０の左右内壁の中には補助穴３６が設けられ、前記移動ブロック３５と前記補助穴３６とがスライドできるように係合し取り付けられ、前記筆袋１４の底部端面には回転板３８が上下に対称的に固定的に取り付けられ、上下の前記回転板３８の間には補助ロッド３９が回転できるように係合し取り付けられ、前記補助ロッド３９には連結ブロック４０が固定的に取り付けられ、前記連結ブロック４０の後側端面には底蓋３４が固定的に取り付けられ、前記綿ケース３３が前記底蓋３４の中に設けられ、前記底蓋３４の頂部端面と前記筆袋１４の底部端面には磁石２７が固定的に取り付けられ、垂らした染料が抜き穴３０を通し、綿３１により吸収され、磁石２７により底蓋を開け、綿ケース３３を取り出すことができ、綿を循環的に利用し、プッシュブロック４３を動かし、移動ブロック３５を補助穴３６の中から滑り出させ、塗板２９を取り出して洗浄することができる。
【００１５】
前記補助機構９０は前記上蓋２４と前記筆袋１４の外周に取り付けられたファスナー２６を含み、ファスナー２６によって上蓋２４を開けるあるいは閉める。
【００１６】
使用する時、筆を筆溝１３と引掛りブロック１１の間に置き、押し引きブロック２２を引いて押し引きロッド５５を移動連動させ、引きブロック２１によって固定板１２を移動連動させ、安定ブロック４７が垂直チャンバ５１の中に入り、押し引きブロック２２を放し、位置制限ブロック５２が安定溝４９の中に引っ掛かられ、筆が固定され、垂らした染料が抜き穴３０を通し、綿３１に吸収され、磁石２７によって底蓋３４を開け、綿ケース３３を取り出すことができ、綿３１を循環的に利用し、プッシュブロック４３を動かし、移動ブロック３５を補助穴３６の中から滑り出させ、塗板２９を取り出して洗浄することができ、ファスナー２６によって上蓋２４を開けるあるいは閉める。
【００１７】
本発明の有益効果は：本発明は固定板によって引掛りブロックに保存された筆を固定し、筆を携帯する時の散ることや面倒な整理を防ぎ、汚れ防止機構の中の綿は筆から垂らした染料を吸収することができ、筆袋に汚れが付くことを防ぐ、更に綿も塗板も取り出すことができ、洗浄し循環的に利用することができ、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157748.tif 000003
【図２】
2020157748.tif 000004
【図３】
2020157748.tif 000005
【図４】
2020157748.tif 000006
【手続補正書】
【提出日】令和2年4月9日(2020.4.9)
【手続補正１】
【補正対象書類名】特許請求の範囲
【補正対象項目名】請求項３
【補正方法】変更
【補正の内容】
【請求項３】
前記汚れ防止機構は左右の前記支えブロックの頂部端面に設けられた塗板を含み、前記塗板の中には抜き穴が設けられ、前記塗板の中には移動チャンバが左右に対称的に設けられ、前記移動チャンバの中には移動ブロックがスライドできるように係合し取り付けられ、前記移動ブロックと前記移動チャンバとの間には第一バネが固定的に取り付けられ、前記移動ブロックの底部端面にはプッシュブロックが設けられ、前記移動チャンバの下方にはプッシュチャンバが連通し設けられ、前記プッシュブロックと前記プッシュチャンバとがスライドできるように係合し取り付けられ、前記筆チャンバの左右内壁の中には補助穴が設けられ、前記移動ブロックと前記補助穴とがスライドできるように係合し取り付けられ、前記筆袋の底部端面には回転板が上下に対称的に固定的に取り付けられ、上下の前記回転板の間には補助ロッドが回転できるように係合し取り付けられ、前記補助ロッドには連結ブロックが固定的に取り付けられ、前記連結ブロックの後側端面には底蓋が固定的に取り付けられ、前記綿ケースが前記底蓋の中に設けられ、前記底蓋の頂部端面と前記筆袋の底部端面には磁石が固定的に取り付けられ、垂らした染料が抜き穴を通し、綿により吸収され、磁石により底蓋を開け、綿ケースを取り出すことができ、綿を循環利用し、プッシュブロックを動かし、移動ブロックを補助穴の中から滑り出させ、塗板を取り出して洗浄することができることを特徴とする請求項１に記載の汚れ防止筆袋。
【手続補正２】
【補正対象書類名】明細書
【補正対象項目名】全文
【補正方法】変更
【補正の内容】
【発明の詳細な説明】
【技術分野】
【０００１】
本発明は筆袋分野を取り上げて、具体的には汚れ防止筆袋である。
【背景技術】
【０００２】
筆袋には各種類の筆が保存され、美術生徒たちが絵筆を筆袋に入れる時、絵筆がまだ乾いていない場合は多く、絵筆の染料が筆袋に付き、時間が経つと、筆袋を滲み出て他の容器に付くこともあり、筆袋などを汚し、洗浄できないだけではなく使用もできない、一般的な筆袋を携帯する時に、筆袋の中の筆が散りやすい。
【先行技術文献】
【特許文献】
【０００３】
【特許文献１】中国特許出願公開第１０２４８５０９７号明細書
【発明の概要】
【発明が解決しようとする課題】
【０００４】
本発明の目的は汚れ防止筆袋を提供し、それは上記の現在の技術中の問題を解決できる。
【課題を解決するための手段】
【０００５】
本発明の汚れ防止筆袋は、筆袋を含み、前記筆袋の中には筆チャンバが設けられ、前記筆チャンバの中には筆を携帯する時に散ることを防ぐ固定機構が設けられ、前記固定機構は前記筆チャンバの左側に連通し設けられた回転チャンバを含み、前記回転チャンバにはスライド溝が上下に対称的に連通し設けられ、前記スライド溝の中にはスライドブロックがスライドできるように係合し取り付けられ、上下の前記スライドブロックの間には回転ロッドが回転できるように係合し取り付けられ、前記回転ロッドには固定板が固定的に取り付けられ、前記固定機構の下方には筆袋に汚れが付くことを防ぐ汚れ防止機構が設けられ、前記汚れ防止機構は前記筆チャンバの内壁に左右に対称的に固定的に取り付けられた支えブロックを含み、前記支えブロックの中には下方に開口した支え溝が設けられ、前記支え溝の中には挿しブロックがスライドできるように係合し取り付けられ、左右の前記挿しブロックの底部端面には綿ケースが固定的に連結され、前記綿ケースの中には上方に開口した綿チャンバが設けられ、前記綿チャンバの中には染料を吸収できる綿が設けられ、前記固定機構の上方には筆袋全体をかぶせられる補助機構が設けられ、前記補助機構は前記筆袋の頂部端面と固定的に連結された上蓋を含み、前記上蓋の中には下方に開口した上蓋チャンバが設けられる。
【０００６】
更の技術プラン、前記固定機構は前記固定板の前側端面に固定的に取り付けられた引きブロックを含み、前記固定板には六つの筆溝が上下に対称的に設けられ、前記固定板の後側端面には安定ブロックが固定的に取り付けられ、前記筆チャンバの右側内壁には固定ブロックが固定的に取り付けられ、前記固定ブロックの中には前方に開口した垂直チャンバが設けられ、前記垂直チャンバと前記安定ブロックとがスライドできるように係合し取り付けられ、前記安定ブロックの中には右方に開口した安定溝が設けられ、前記垂直チャンバの右側には水平チャンバが連通し設置され、前記水平チャンバの中には位置制限ブロックがスライドできるように係合し取り付けられ、前記位置制限ブロックの右側端面には前記筆袋の右側端面を貫通する押し引きロッドが固定的に取り付けられ、前記押し引きロッドの右側端面には押し引きブロックが固定的に取り付けられ、前記位置制限ブロックの右側端面と前記水平チャンバの右側内壁との間には第二バネが固定的に取り付けられ、前記筆チャンバの内壁には引掛りブロックが上下に対称的に固定的に取り付けられる。
【０００７】
更の技術プラン、前記汚れ防止機構は左右の前記支えブロックの頂部端面に設けられた塗板を含み、前記塗板の中には抜き穴が設けられ、前記塗板の中には移動チャンバが左右に対称的に設けられ、前記移動チャンバの中には移動ブロックがスライドできるように係合し取り付けられ、前記移動ブロックと前記移動チャンバとの間には第一バネが固定的に取り付けられ、前記移動ブロックの底部端面にはプッシュブロックが設けられ、前記移動チャンバの下方にはプッシュチャンバが連通し設けられ、前記プッシュブロックと前記プッシュチャンバとがスライドできるように係合し取り付けられ、前記筆チャンバの左右内壁の中には補助穴が設けられ、前記移動ブロックと前記補助穴とがスライドできるように係合し取り付けられ、前記筆袋の底部端面には回転板が上下に対称的に固定的に取り付けられ、上下の前記回転板の間には補助ロッドが回転できるように係合し取り付けられ、前記補助ロッドには連結ブロックが固定的に取り付けられ、前記連結ブロックの後側端面には底蓋が固定的に取り付けられ、前記綿ケースが前記底蓋の中に設けられ、前記底蓋の頂部端面と前記筆袋の底部端面には磁石が固定的に取り付けられる。
【０００８】
更の技術プラン、前記補助機構は前記上蓋と前記筆袋の外周に取り付けられたファスナーを含む。
【発明の効果】
【０００９】
本発明は固定板によって引掛りブロックに保存された筆を固定し、筆を携帯する時の散ることや面倒な整理を防ぎ、汚れ防止機構の中の綿は筆から垂らした染料を吸収することができ、筆袋に汚れが付くことを防ぐ、更に綿も塗板も取り出すことができ、洗浄し循環利用することができ、普及価値がある。
【図面の簡単な説明】
【００１０】
【図１】図１は本発明の構成略図である；
【図２】図２は図１のＡ−Ａの断面構成略図である；
【図３】図３は図２のＢの拡大構成略図である；
【図４】図４は図２のＣの拡大構成略図である・
【発明を実施するための形態】
【００１１】
下記に図１−４を合わせて本発明について詳しく説明し、また、説明の便利を図るため、下記に記載の上下左右前後方向が図１自身の投影関係の上下左右前後方向と一致することにする。
【００１２】
図１−４を参照し、本発明の汚れ防止筆袋は、筆袋１４を含み、前記筆袋１４の中には筆チャンバ２０が設けられ、前記筆チャンバ２０の中には筆を携帯する時に散ることを防ぐ固定機構７０が設けられ、前記固定機構７０は前記筆チャンバ２０の左側に連通し設けられた回転チャンバ１８を含み、前記回転チャンバ１８にはスライド溝１５が上下に対称的に連通し設けられ、前記スライド溝１５の中にはスライドブロック１６がスライドできるように係合し取り付けられ、上下の前記スライドブロック１６の間には回転ロッド１７が回転できるように係合し取り付けられ、前記回転ロッド１７には固定板１２が固定的に取り付けられ、前記固定機構７０の下方には筆袋に汚れが付くことを防ぐ汚れ防止機構８０が設けられ、前記汚れ防止機構８０は前記筆チャンバ２０の内壁に左右に対称的に固定的に取り付けられた支えブロック３７を含み、前記支えブロック３７の中には下方に開口した支え溝４２が設けられ、前記支え溝４２の中には挿しブロック４１がスライドできるように係合し取り付けられ、左右の前記挿しブロック４１の底部端面には綿ケース３３が固定的に連結され、前記綿ケース３３の中には上方に開口した綿チャンバ３２が設けられ、前記綿チャンバ３２の中には染料を吸収できる綿３１が設けられ、前記固定機構７０の上方には筆袋全体をかぶせられる補助機構９０が設けられ、前記補助機構９０は前記筆袋１４の頂部端面と固定的に連結された上蓋２４を含み、前記上蓋２４の中には下方に開口した上蓋チャンバ２５が設けられる。
【００１３】
前記固定機構７０は前記固定板１２の前側端面に固定的に取り付けられた引きブロック２１を含み、前記固定板１２には六つの筆溝１３が上下に対称的に設けられ、前記固定板１２の後側端面には安定ブロック４７が固定的に取り付けられ、前記筆チャンバ２０の右側内壁には固定ブロック２３が固定的に取り付けられ、前記固定ブロック２３の中には前方に開口した垂直チャンバ５１が設けられ、前記垂直チャンバ５１と前記安定ブロック４７とがスライドできるように係合し取り付けられ、前記安定ブロック４７の中には右方に開口した安定溝４９が設けられ、前記垂直チャンバ５１の右側には水平チャンバ５３が連通し設置され、前記水平チャンバ５３の中には位置制限ブロック５２がスライドできるように係合し取り付けられ、前記位置制限ブロック５２の右側端面には前記筆袋１４の右側端面を貫通する押し引きロッド５５が固定的に取り付けられ、前記押し引きロッド５５の右側端面には押し引きブロック２２が固定的に取り付けられ、前記位置制限ブロック５２の右側端面と前記水平チャンバ５３の右側内壁との間には第二バネ５４が固定的に取り付けられ、前記筆チャンバ２０の内壁には引掛りブロック１１が上下に対称的に固定的に取り付けられ、筆を筆溝１３と引掛りブロック１１の間に置き、押し引きブロック２２を引き、押し引きロッド５５を移動連動させ、引きブロック２１によって固定板１２を移動連動させ、安定ブロック４７が垂直チャンバ５１の中に入り、押し引きブロック２２を放し、位置制限ブロック５２が安定溝４９の中に引掛られ、筆を固定する。
【００１４】
前記汚れ防止機構８０は左右の前記支えブロック３７の頂部端面に設けられた塗板２９を含み、前記塗板２９の中には抜き穴３０が設けられ、前記塗板２９の中には移動チャンバ４５が左右に対称的に設けられ、前記移動チャンバ４５の中には移動ブロック３５がスライドできるように係合し取り付けられ、前記移動ブロック３５と前記移動チャンバ４５との間には第一バネ４６が固定的に取り付けられ、前記移動ブロック３５の底部端面にはプッシュブロック４３が設けられ、前記移動チャンバ４５の下方にはプッシュチャンバ４４が連通し設けられ、前記プッシュブロック４３と前記プッシュチャンバ４４とがスライドできるように係合し取り付けられ、前記筆チャンバ２０の左右内壁の中には補助穴３６が設けられ、前記移動ブロック３５と前記補助穴３６とがスライドできるように係合し取り付けられ、前記筆袋１４の底部端面には回転板３８が上下に対称的に固定的に取り付けられ、上下の前記回転板３８の間には補助ロッド３９が回転できるように係合し取り付けられ、前記補助ロッド３９には連結ブロック４０が固定的に取り付けられ、前記連結ブロック４０の後側端面には底蓋３４が固定的に取り付けられ、前記綿ケース３３が前記底蓋３４の中に設けられ、前記底蓋３４の頂部端面と前記筆袋１４の底部端面には磁石２７が固定的に取り付けられ、垂らした染料が抜き穴３０を通し、綿３１により吸収され、磁石２７により底蓋を開け、綿ケース３３を取り出すことができ、綿を循環利用し、プッシュブロック４３を動かし、移動ブロック３５を補助穴３６の中から滑り出させ、塗板２９を取り出して洗浄することができる。
【００１５】
前記補助機構９０は前記上蓋２４と前記筆袋１４の外周に取り付けられたファスナー２６を含み、ファスナー２６によって上蓋２４を開けるあるいは閉める。
【００１６】
使用する時、筆を筆溝１３と引掛りブロック１１の間に置き、押し引きブロック２２を引いて押し引きロッド５５を移動連動させ、引きブロック２１によって固定板１２を移動連動させ、安定ブロック４７が垂直チャンバ５１の中に入り、押し引きブロック２２を放し、位置制限ブロック５２が安定溝４９の中に引っ掛かられ、筆が固定され、垂らした染料が抜き穴３０を通し、綿３１に吸収され、磁石２７によって底蓋３４を開け、綿ケース３３を取り出すことができ、綿３１を循環利用し、プッシュブロック４３を動かし、移動ブロック３５を補助穴３６の中から滑り出させ、塗板２９を取り出して洗浄することができ、ファスナー２６によって上蓋２４を開けるあるいは閉める。
【００１７】
本発明の有益効果は：本発明は固定板によって引掛りブロックに保存された筆を固定し、筆を携帯する時の散ることや面倒な整理を防ぎ、汚れ防止機構の中の綿は筆から垂らした染料を吸収することができ、筆袋に汚れが付くことを防ぐ、更に綿も塗板も取り出すことができ、洗浄し循環利用することができ、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。